(57)【要約】【課題】  製造しやすい簡単な構造で、毛（睫毛や髪等）が櫛から抜ける時に適切に内容物を塗布可能な塗布具を提供する。【解決手段】  塗布具内に収容した内容物を塗布部に供給してその塗布部から内容物を対象体に塗布する塗布具において、軸状部の先端部に台座からその径方向に突出する櫛体を複数配列した櫛歯状の塗布部を形成し、前記櫛体にはその先端に前記櫛体よりも太径の膨出部を形成した塗布具。【選択図】図１
2017104310.tif 000002
【特許請求の範囲】
【請求項１】
塗布具内に収容した内容物を塗布部に供給してその塗布部から内容物を対象体に塗布する塗布具において、
軸状部の先端部に台座からその径方向に突出する櫛体を複数配列した櫛歯状の塗布部を形成し、
前記櫛体にはその先端に前記櫛体よりも太径の膨出部を形成したものであることを特徴とする塗布具。
【請求項２】
前記塗布部の櫛体は、その横断面が多角形断面形状、又は楕円断面形状とすることを特徴とする請求項１に記載の塗布具。
【請求項３】
前記塗布部の櫛体は、櫛厚又は櫛間隔が１箇所毎に異ならせるように設定可能なことを特徴とする請求項１又は２に記載の塗布具。
【請求項４】
前記塗布部は、台座の上下に櫛体を突出形成したものであることを特徴とする請求項１から３のうちの１項に記載の塗布具。
【請求項５】
前記塗布部は、その先端に２箇所以上の櫛体を台座の軸方向に突出形成したものであることを特徴とする請求項１から４のうちの１項に記載の塗布具。
【発明の詳細な説明】
【技術分野】
【０００１】
本発明は、化粧品等、容器内の内容物を、間隔を空けて毛が並立する睫毛、眉毛、頭髪等の対象物に塗布する塗布具に関する。
【背景技術】
【０００２】
従来、睫毛、眉毛、頭髪のような対象部に化粧料をむらなく、均一に塗る塗布具には、ブローボトルとシール部材（シゴキゴム）で形成されている収容容器の上方にキャップ付きの塗布具を装着したものがある。
キャップ付きの塗布具の先端には、液を塗布するための塗布部（塗布体）が形成されており、その部分を使用した内容液を毛（睫毛、髪等）に塗布する。
この種の塗布部には、主にネジリや直毛放射状のブラシタイプ（ネジリ、エラストマー）、コームタイプ（櫛）、ネジタイプ、多孔体タイプ（スポンジ）の塗布部が用いられている。
製品としては、マスカラ容器、毛染め容器、リップ・グロス容器、ネイル容器等の化粧料容器を挙げることができる。
【０００３】
塗布具に関し特許文献１があり、これには、ネジリブラシタイプの塗布具に関し、ブラシ軸に繊維を螺旋形に捲き付けて支持した塗布部であって、毛体の先端に球状部を形成した、マスカラ等の塗布具が開示されている。
【０００４】
また、特許文献２では、睫毛等の塗りを確実にするため、ブラシタイプの塗布具として、合成樹脂製の軸部の先端が湾曲状でかつ断面形状が円形の本体部分に静電植毛したブラシ部を備えたマスカラブラシが示されている。
【０００５】
コームタイプの化粧料塗布具として、特許文献３では、塗布部が上向きアーチ状の基台の上面に複数の櫛体を設けた化粧料塗布具が開示されている。
【先行技術文献】
【特許文献】
【０００６】
【特許文献１】実開平２−６７９２０号公報
【特許文献２】特許第５２６０２３４号公報
【特許文献３】特許第５３５５６７７号公報
【発明の概要】
【発明が解決しようとする課題】
【０００７】
しかしながら、従来のコームタイプの塗布部〈塗布体）には以下の問題点がある。
コームタイプ（櫛）は櫛歯の間隔を狭める時に、櫛歯の厚みを薄くすると、櫛歯の強度が弱くなることから、しごき時又は使用時に塗布部の破損が発生しやすい。
そのため、櫛歯を長く又は広くすることは難しく、短く又は狭くし破損防止対応することが多い。
また、櫛歯を短くすることで、使用時に液を狙い通りにしごけないことで、毛（睫毛や毛髪）上にダマが生じるなどの問題が発生する。
【０００８】
本発明は、斯かる実情に鑑み、製造しやすい簡単な構造で、毛（睫毛や髪等）が櫛から抜ける時に適切に内容物を塗布可能な塗布具を提供することを目的とする。
【課題を解決するための手段】
【０００９】
本発明は、塗布具内に収容した内容物を塗布部に供給してその塗布部から内容物を対象体に塗布する塗布具において、
軸状部の先端部に台座からその径方向に突出する櫛体を複数配列した櫛歯状の塗布部を形成し、
前記櫛体にはその先端に前記櫛体よりも太径の膨出部を形成したものであることを特徴とする塗布具である。
【００１０】
なお、膨出部は、円形断面や、楕円、多角形を始めとする円形ではない断面のものや、面削ぎしたものや、角部を面取りしたものであってもよい。
【００１１】
本発明において、前記塗布部の櫛体は、その横断面が真円断面形状でなく、多角形断面形状、又は楕円断面形状とすることが好適である。
【００１２】
本発明において、前記塗布部の櫛体は櫛厚と櫛間隔が１箇所毎に異ならせるように設定可能なことが好適である。
【００１３】
本発明において、前記塗布部は、台座の上下に櫛体を突出形成したものであることが好適である。
【００１４】
本発明において、前記塗布部は、その先端に２箇所以上の櫛体を台座の軸方向に突出形成したものであることが好適である。
【発明の効果】
【００１５】
本発明の塗布具によれば、軸状部の先端部に台座からその径方向に突出する櫛体を複数配列した櫛歯状の塗布部を形成し、前記櫛体にはその先端に前記櫛体よりも太径の膨出部を形成したので、膨出部にその表面積の塗布液が保留しやすく、使用時に毛(睫毛、髪等）に塗布液が塗りやすくかつ、毛が櫛体から抜ける際に、膨出部で捌きやすくなるので、液を均一の塗布が可能なる。
【００１６】
なお、前記塗布部の櫛体は、その横断面が多角形断面形状、又は楕円断面形状とすればしごき時、又は使用時の塗布部破損を防ぐことが可能である。
【図面の簡単な説明】
【００１７】
【図１】本発明の実施形態に係る収容容器に納められた塗布具の全体説明図であり、（ａ）が外観図、（ｂ）が（ａ）のＢ−Ｂ線に沿う断面図である。
【図２】図１の塗布具における外軸及びシール部材の組図であり、（ａ）が斜視外観図、（ｂ）が先方からの視図、（ｃ）が（ｆ）のＪ−Ｊ線に沿う断面視図、（ｄ）が（ｆ）のＧ−Ｇ線に沿う断面視図、（ｅ）が側面図、（ｆ）が（ｂ）のＦ−Ｆ線に沿う断面視図である。
【図３】図１の塗布具におけるシール部材の部品図であり、（ａ）が先方からの斜視外観図、（ｂ）が先方からの視図、（ｃ）が（ｈ）のＬ−Ｌ線に沿う断面視図、（ｄ）が（ｅ）のＫ−Ｋ線に沿う断面視図、（ｅ）が側面図、（ｆ）が（ｈ）のＦ−Ｆ線に沿う断面視図、（ｇ）が後方からの斜視外観図、（ｈ）が後方からの視図である。
【図４】図１の塗布具における外軸の部品図であり、（ａ）が先方からの斜視外観図、（ｂ）が先方からの視図、（ｃ）が（ｄ）のＮ−Ｎ線に沿う断面視図、（ｄ）が側面図、（ｅ）が（ｈ）のＥ−Ｅ線に沿う断面視図、（ｆ）が（ｈ）のＰ−Ｐ線に沿う断面視図、（ｇ）が後方からの斜視外観図、（ｈ）が後方からの視図である。
【図５】図１の塗布具の軸体の部品図であり、（ａ）が先方からの斜視外観図、（ｂ）が側面図、（ｃ）が（ａ）のＣ−Ｃ線に沿う縦断面図、（ｄ）が塗布面を上に向けた状態の斜視外観図である。
【図６】図１の塗布具の塗布部の各説明図であり、（ａ）が櫛体先端の膨出部の説明図、（ｂ）が櫛部で台座の上下に櫛体を設けた説明図、（ｃ）が櫛体の櫛厚、櫛間隔の説明図、（ｄ）が櫛部で台座の先端に櫛体を設けた説明図である。
【発明を実施するための形態】
【００１８】
以下、本発明の実施形態について図面を参照して説明する。
【００１９】
図１は実施形態に係る塗布具の全体説明図、図２は外軸及びシール部材の組図である。図３はシール部材、図４は外軸、図５は軸体の各部品図である。
【００２０】
図１に示すように、実施形態に係る塗布具は、塗布液を収容するための内軸１０を、外軸１２の内径部の一部（実施形態では本体１２ａの内径部１２ａ１）に装着する外軸１２と、前記内軸１０内に挿入可能な塗布部１４を設けた軸体１６と、外軸１２の内径部の他の筒状部１２ｂに、２色成型で形成したシール部材１８とを設け、前記塗布部１４を前記内軸１０内に挿入したときに、前記シール部材１８の内径部に軸体１６の本体（外径部）１６ａが嵌着して前記シール部材１８と前記軸体１６との間で気密性を保つことが可能な構造となっている。
【００２１】
〔外軸１２〕
外軸１２は、図２に示すように、先後の開口した概略中空筒状体であり、円筒状の本体１２ａ部分の先端側に、口元部として細径になった筒状部１２ｂが段状部を介して一体成形された構造を有する。筒状部１２ｂ内にシール部材１８が固着される。
【００２２】
容器の全体組み付け時には、図１に示すように本体１２ａ内径部に、内軸１０が装着して固定され、軸体１６の本体１６ａを内部に固着したキャップ２０の後端が筒状部１２ｂ外周面に螺合している。
【００２３】
前記外軸１２は、単体では、図４に示すように、筒状部１２ｂが外周面に雄ネジ山が形成される。前記本体１２ａと筒状部１２ｂとが同軸であり、筒状部１２ｂは後方が本体１２ａ内に突出している。筒状部１２ｂは、外軸１２内径部に突出するリブ１２ｃが４箇所（１箇所以上の例であり、１〜３箇所でも、５箇所以上でもよい）形成される。リブ１２ｃの先方がアンダーカット１２ｃ１になっている。リブ１２ｃが内側に突出するのでリブ１２ｃ同士の間が溝状になる。外軸１２は、樹脂材を射出成型して形成する。
【００２４】
〔シール部材１８〕
前記シール部材１８は、図２に示すように、比較的硬質な樹脂材からなる外軸１２の先端部の筒状部１２ｂ内に２色成型により樹脂成形で構成する。前記シール部材１８に用いる樹脂材（弾性樹脂材）としては例えばポリエチレン、ポリプロピレン、熱可塑性エラストマー、ＥＰＤＭ、シリコーン、ＮＢＲ等を用いて弾性のある状態で成形することが好ましい。
【００２５】
前記シール部材１８は、前記外軸１２の筒状部１２ｂの内側に金型を設置して樹脂を射出する２色成型によって形成するものである。
【００２６】
図３に示すように、シール部材１８の後端部１８ｒがスリット１８ａのある厚膜状に形成される。このスリット１８ａに、軸体１６設置の塗布部１４を通すことによって、「しごき」動作ができるようになっている。
【００２７】
また、シール部材１８の２色成型時おいて、外軸１２の筒状部１２ｂ内に先部よりも後部が細径の段付き円筒形状の金型を配置して樹脂成形し、そのときに複数のリブ１２ｃ、１２ｃ間の溝（図４参照）に樹脂が回り込んでシール部材１８の外径部にリブ１８ｂが複数成型されるものである。径方向の厚みを見ると、リブ１８ｂの厚さが、リブ１８ｂ間の薄肉膜よりも厚肉になる。
【００２８】
図３に示すように、前記リブ１８ｂの間は膜状になっており、シール部材１８の軸方向中央部の段付きになるところでは、後方向きに段付きで細径になりアンダーカット１８ｂ１が形成される。このアンダーカット１８ｂ１に前記筒状部１２ｂに複数設けたアンダーカット１２ｃ１（図４参照）が係合して抜け止めになる。
【００２９】
そして、前記外軸の筒状部１２ｂの内径部のリブ１２ｃとシール部材１８外径部のリブ１８ｂとが一箇所以上設けたものになり、外軸１２とシール部材１８が２色成型によって互いに密着係合して確実な回り止めができるようになっている。
【００３０】
〔内軸１０〕
内軸１０は，図１に示すように、後端部が閉じた容器状を呈しており、前記外軸１２の本体１２ａ内に前記内軸１０を嵌着して固定することが可能な構造となっている。
【００３１】
前記内軸１０内は、塗布液が収容され、容易に塗布液を塗布部に付着可能なＲ形状（曲面形状）に後端部１０ａ内を形成している。
【００３２】
また、内軸１０そのもの、又は内軸１０を外軸１２と一体にして、塗布液入りのカートリッジとして交換可能にすることができる。塗布液を使用し終わったならば、カートリッジを交換して再度使用することができる。
【００３３】
〔軸体１６〕
塗布部１４を設けた軸体１６は、図５に示すように、本体１６ａと本体１６ａから延びる軸状部１６ｂと当該軸状部１６ｂの先端の前記塗布部１４が一体（一体成型または着脱可能）に設けられたものである。当該塗布部１４は、台座１４ｂからその径方向に突出する櫛体１４ａが複数配列した櫛歯状に形成されている。
そして、本体１６ａがキャップ２０内に嵌着され一体化している。
【００３４】
〔塗布部１４〕
前記塗布部１４は台座１４ｂが緩やかに曲がった弧を描いた弓状であり、その曲がりが目元に対応してマスカラ等の塗布液を塗布しやすくなっている。前記塗布部１４には、複数の柱状の櫛体１４ａが櫛歯状に配列されて台座１４ｂから径方向（上方、下方）に突出しており、塗布液が載りやすく、かつ睫毛に絡みつきやすくしている。
また、塗布部１４の櫛体１４ａの配列は、当該塗布部１４の弧を描いた外側部のみでなく、内側部に櫛体１４ａを設けて（詳しくは，図６（ｂ）に示すように、台座１４ｂの上下に櫛体１４ａを設けて）毛に細かく塗りやすくしている。塗布部１４の上下の櫛体１４ａの配列長さは半ば又は全体に設けてもよい。
【００３５】
また、櫛体１４ａは、睫毛に対応して細径で短くしているが適宜の長さに設定できる。また、櫛体１４ａを台座１４ｂと同材質、又は、別材質の樹脂材としてもよい。また、櫛体１４ａの先端には下記のように膨出部１４ｃを設けている。
【００３６】
図６は、塗布部１４の説明図である。
図６（ａ)に示すように（図５（ｃ）にも示す）、塗布部１４において、個々の櫛体１４ａにはその先端に前記櫛体１４ａ（中央部や基部）よりも太径の膨出部１４ｃを形成したものである。
前記膨出部１４ｃは、断面が円形や楕円形の柱状に形成されている。この膨出部１４ｃが櫛体１４ａに形成されたことによって櫛体１４ａ同士の間隔よりも膨出部１４ｃ同士の間隔が狭くなる構造である。この構造によれば、櫛体１４ａの間から毛（睫毛、髪等）が抜けるときに、狭い膨出部１４ｃ同士の間に毛が通って、毛に膨出部１４ｃが触れやすくなるため、液を効率的に毛に塗布することができる。
【００３７】
また、図６の（ｂ）に示すように、前記塗布部１４の櫛体１４ａは、台座１４ｂから突出するが、その横断面が多角形断面形状、又は楕円断面形状とすることが好ましい。このように、櫛体１４ａが多角形断面形状、又は楕円断面形状の断面とすることにより、櫛体１４ａの曲がり強度が上がり曲がりにくくなり、しごき時又は使用時の塗布部１４破損を防ぐことが可能になる。
【００３８】
前記塗布部１４の櫛体１４ａは、櫛厚又は櫛間隔を１箇所（又は複数箇所でもよい）毎に異ならせるように設定可能である。図６（ｃ）に示すように、櫛体１４ａについて、（膨出部１４ｃを含めた）櫛厚ｔ１、ｔ２，ｔ３…を、又は、（隣り合う膨出部同士の間隔の）櫛間隔ｗ１、ｗ２、ｗ３…をそれぞれ個別に任意に異なるように形成することができる。これにより、塗布部１４が、睫毛等の並んだ毛の特性に合わせて塗り付け易い、櫛厚、櫛間隔を設定出来ることになる。
【００３９】
また、図６（ｄ）に示すように、前記塗布部１４は、台座１４ｂの上、下に櫛体１４ａ（１４ａ１、１４ａ２）を突出形成したものにできる。この場合の、台座１６ｂの上側に多くの櫛体１４ａ１が配列され、下側に少ない櫛体１４ａ２が配列された構造とすることが好ましい。この構造の採用によって、並んだ毛の全体に液を塗り付ける際には、上側の多くの櫛体１４ａ（１４ａ１）を用い、部分的に液を塗り付ける際には、下側の少ない櫛体１４ａ（１４ａ２）を用いることにより、効率的かつきめ細かい塗布が可能になる。なお、上側の櫛体１４ａ（１４ａ１）の数や位置、下側の櫛体１４ａ（１４ａ２）の数や位置は、上記のように上側を多くすることに限定されず、上側を部分的にしたり、下側を多くしたりすることが可能である。
【００４０】
また、前記塗布部１４は、その先端に２箇所以上の櫛体１４ａ（１４ａ３）を台座１４ｂの軸方向（図６（ｄ）で符号「Ｆ」で示す）先方に突出形成したものであることが好適である。部分的な塗る際や、狭い箇所に塗る際などに、先端の櫛体１４ａ（１４ａ３）ならば目的箇所に位置させやすく、塗り付けを容易にできるようになる。先端の櫛体１４ａ（１４ａ３）には、膨出部１４Ｃを設けることができる。
なお、前記塗布部１４において、櫛体１４ａに全て膨出部１４ｃを設けていたが、部分的に膨出部１４ｃを設けることもできる。
【００４１】
前記塗布具には、図１に示すように、着脱自在に先方の閉じた筒状のキャップ２０を設け、外軸１２の筒状部１２ｂの外周の外ネジに、キャップ２０後方部内周の雌ネジが螺合する構造になっている。この螺合によって塗布具に対してキャップ２０が自在に着脱できるようにしている。また、キャップ２０内に軸体１６を嵌着して、キャップ２０を外した際に軸体１６も、外軸１２から外れるようにしている。
【００４２】
前記塗布具においては、前記内軸１０内は、塗布液が収容され、容易に塗布液を塗布部に付着可能なＲ形状に後端部１０ａ内を形成している。このＲ形状によって、キャップ２０を介して軸体１６の操作によって当該軸体１６を回転させたり傾けたりして、塗布部１４に十分に塗布液を付着させることができる。
【００４３】
以上説明した通り、実施形態では、内軸１０と外軸１２とを、ブローボトルではなく射出成形で２部品化することで容易に収容容器を作製することを可能とし、それと共に、射出成形による軸の形成で、外装部品のデザイン性の向上、成形生産性の向上に繋げることを可能とするという優れた効果を奏し得る。
【００４４】
また、射出成型の製造方法を採用できるので、外軸１２内径側の口元にアンダーカットなど嵌合部の付与を行うことが容易にできる。
【００４５】
そのため、シール部材１８の嵌合強度を保つことは設計上容易であり、また、ブロー容器でないのでデザイン性を持たせる場合、形状が複雑化せず、残液が増加する等の問題が生じない。
【００４６】
また、シール部材１８は、リブ１８ｂ等の嵌合部の付与を行うことが容易であり、強度付与を行うのに、形状は複雑化せず、コストアップに繋がることを確実に防止できる。
また、組み立て性や成形性等が向上する。
【００４７】
なお、実施形態では、マスカラ等の塗布液を内軸１０内に収容した塗布具を例示したが、本発明はこれに限定されず、マスカラ以外のネイル、アイシャドウ等の化粧料又はそれ以外の塗布液を用いることができる。
【産業上の利用可能性】
【００４８】
本発明の塗布具は、マスカラ等の化粧料を塗布する化粧料容器製品の他、各種塗布液の塗布具に用いることができる。
【符号の説明】
【００４９】
１０  内軸
１０ａ  後端部
１２  外軸
１２ａ  本体
１２ｂ  筒状部
１２ｃ  リブ
１２ｃ１  アンダーカット
１４  塗布部
１４ａ  櫛体
１４ｂ  台座
１４ｃ  膨出部 
１６  軸体
１６ａ  本体
１６ｂ  軸状部
１８  シール部材
１８ａ  スリット
１８ｂ  リブ
１８ｂ１  アンダーカット
１８ｒ  後端部
２０  キャップ
【図１】
2017104310.tif 000003
【図２】
2017104310.tif 000004
【図３】
2017104310.tif 000005
【図４】
2017104310.tif 000006
【図５】
2017104310.tif 000007
【図６】
2017104310.tif 000008